(57)【特許請求の範囲】
【請求項１】
分電盤用キャビネットに収容されて主幹回路と分岐回路との間に電気的に接続される複数の分岐ブレーカの各々について、接続された前記分岐回路を識別するための回路識別情報、およびブレーカの種別を示す種別情報を取得する取得部と、
前記複数の分岐ブレーカの各々について、前記取得部が取得した前記回路識別情報と前記種別情報とを関連付けて記憶部に設定する設定部と、を備え、
前記複数の分岐ブレーカの各々の表面に設けられた、前記ブレーカの種別を示す視覚的な種別標識を検出する種別標識検出部から、前記種別標識検出部が検出した前記種別標識が前記取得部に入力され、
前記取得部は、前記種別標識検出部から入力された前記種別標識に基づいて前記種別情報を取得することを特徴とする分岐回路設定装置。
【請求項２】
前記分電盤用キャビネットにおける前記複数の分岐ブレーカの収容部に前記種別標識と隣接するように設けられた前記分岐回路を識別するための視覚的な回路標識を検出する回路標識検出部から、前記回路標識検出部が検出した前記回路標識が前記取得部に入力され、
前記取得部は、前記回路標識検出部から入力された前記回路標識に基づいて前記回路識別情報を取得することを特徴とする請求項１に記載の分岐回路設定装置。
【請求項３】
前記分電盤用キャビネットにおける前記複数の分岐ブレーカの収容部に設けられた基準位置に対する前記種別標識の相対的な検出位置を求める位置検出部から、前記位置検出部が検出した前記種別標識の検出位置が前記取得部に入力され、
前記取得部は、前記位置検出部から入力された前記種別標識の検出位置に基づいて前記回路識別情報を取得するように構成されたことを特徴とする請求項１に記載の分岐回路設定装置。
【請求項４】
分電盤用キャビネットに収容されて主幹回路と分岐回路との間に電気的に接続される複数の分岐ブレーカの各々について、接続された前記分岐回路を識別するための回路識別情報、およびブレーカの種別を示す種別情報を取得する取得部と、
前記複数の分岐ブレーカの各々について、前記取得部が取得した前記回路識別情報と前記種別情報とを関連付けて記憶部に設定する設定部と、を備え、
前記複数の分岐ブレーカの各々の表面に設けられた、前記ブレーカの種別に応じて形状が異なる形状標識を検出する形状検出部から、前記形状検出部が検出した前記形状標識の形状が前記取得部に入力され、
前記取得部は、前記形状検出部から入力された前記形状標識の形状に基づいて前記種別情報を取得することを特徴とする分岐回路設定装置。
【請求項５】
前記形状検出部から前記取得部に前記形状検出部が検出した前記形状標識の検出位置が更に入力され、
前記取得部は、前記形状検出部から入力された前記形状標識の検出位置に基づいて前記回路識別情報を取得することを特徴とする請求項４に記載の分岐回路設定装置。
【請求項６】
コンピュータを、請求項１〜５のいずれか１項に記載の分岐回路設定装置として機能させるためのプログラム。
【請求項７】
分電盤用キャビネットに収容され、主幹回路と分岐回路との間に接続される複数の分岐ブレーカの各々についての情報を設定する分岐回路設定方法であって、
前記複数の分岐ブレーカの各々について、接続された前記分岐回路を識別するための回路識別情報を取得するステップと、
前記複数の分岐ブレーカの各々の表面に設けられた、ブレーカの種別を示す視覚的な種別標識を検出する種別標識検出部から、前記種別標識検出部が検出した前記種別標識が入力され、入力された前記種別標識に基づいて前記ブレーカの種別を示す種別情報を取得するステップと、
前記複数の分岐ブレーカの各々について取得された前記回路識別情報および前記種別情報を関連付けて記憶部に設定するステップとを含む分岐回路設定方法。
【請求項８】
分電盤用キャビネットに収容され、主幹回路と分岐回路との間に接続される複数の分岐ブレーカの各々についての情報を設定する分岐回路設定方法であって、
前記複数の分岐ブレーカの各々について、接続された前記分岐回路を識別するための回路識別情報を取得するステップと、
前記複数の分岐ブレーカの各々の表面に設けられた、ブレーカの種別に応じて形状が異なる形状標識を検出する形状検出部から、前記形状検出部が検出した前記形状標識の形状が入力され、入力された前記形状標識の形状に基づいて前記ブレーカの種別を示す種別情報を取得するステップと、
前記複数の分岐ブレーカの各々について取得された前記回路識別情報および前記種別情報を関連付けて記憶部に設定するステップとを含む分岐回路設定方法。
【請求項９】
複数の分岐ブレーカと、
請求項１〜５のいずれか１項に記載の分岐回路設定装置と、
前記分岐回路設定装置および前記複数の分岐ブレーカを収容する分電盤用キャビネットと、
を備えたことを特徴とする分電盤。
【発明の詳細な説明】
【技術分野】
【０００１】
本発明は、分岐回路設定装置、プログラム、分岐回路設定方法、および分電盤に関し、より詳細には、分岐回路に電力を分配する分電盤に使用される分岐回路設定装置、プログラム、分岐回路設定方法、および分電盤に関する。
【背景技術】
【０００２】
従来、個々の分岐電路の消費電力を演算する電力計測装置を備えた分電盤が提案されている（例えば特許文献１参照）。この分電盤では、電力計測装置に接続されたパーソナルコンピュータなどの設定装置を用いて、電力計測装置の入力端子ごとに消費電力を演算する条件を設定していた。
【先行技術文献】
【特許文献】
【０００３】
【特許文献１】特開２０１３−２３３０３２号公報
【発明の概要】
【発明が解決しようとする課題】
【０００４】
特許文献１に記載された分電盤では、電力計測装置が備える複数の入力端子の各々について、演算する条件（計測条件）を設定装置で一つ一つ設定しているため、演算する条件（分岐回路の情報）の設定に手間がかかるという問題があった。
【０００５】
本発明は上記課題に鑑みてなされ、複数の分岐回路の情報を設定したり変更したりする作業が簡略化された分岐回路設定装置、プログラム、分岐回路設定方法、および分電盤を提供することを目的とする。
【課題を解決するための手段】
【０００６】
本発明の一態様の分岐回路設定装置は、分電盤用キャビネットに収容されて主幹回路と分岐回路との間に電気的に接続される複数の分岐ブレーカの各々について、接続された前記分岐回路を識別するための回路識別情報、およびブレーカの種別を示す種別情報を取得する取得部と、前記複数の分岐ブレーカの各々について、前記取得部が取得した前記回路識別情報と前記種別情報とを関連付けて記憶部に設定する設定部と、を備える。前記複数の分岐ブレーカの各々の表面に設けられた、前記ブレーカの種別を示す視覚的な種別標識を検出する種別標識検出部から、前記種別標識検出部が検出した前記種別標識が前記取得部に入力される。前記取得部は、前記種別標識検出部から入力された前記種別標識に基づいて前記種別情報を取得することを特徴とする。
本発明の一態様の分岐回路設定装置は、分電盤用キャビネットに収容されて主幹回路と分岐回路との間に電気的に接続される複数の分岐ブレーカの各々について、接続された前記分岐回路を識別するための回路識別情報、およびブレーカの種別を示す種別情報を取得する取得部と、前記複数の分岐ブレーカの各々について、前記取得部が取得した前記回路識別情報と前記種別情報とを関連付けて記憶部に設定する設定部と、を備える。前記複数の分岐ブレーカの各々の表面に設けられた、前記ブレーカの種別に応じて形状が異なる形状標識を検出する形状検出部から、前記形状検出部が検出した前記形状標識の形状が前記取得部に入力される。前記取得部は、前記形状検出部から入力された前記形状標識の形状に基づいて前記種別情報を取得することを特徴とする。
【０００７】
本発明のプログラムは、コンピュータを、上記の分岐回路設定装置として機能させるためのプログラムである。
【０００８】
本発明の一態様の分岐回路設定方法は、分電盤用キャビネットに収容され、主幹回路と分岐回路との間に接続される複数の分岐ブレーカの各々についての情報を設定する分岐回路設定方法であって、前記複数の分岐ブレーカの各々について、接続された前記分岐回路を識別するための回路識別情報を取得するステップと、前記複数の分岐ブレーカの各々の表面に設けられた、前記ブレーカの種別を示す視覚的な種別標識を検出する種別標識検出部から、前記種別標識検出部が検出した前記種別標識が入力され、入力された前記種別標識に基づいて前記種別情報を取得するステップと、前記複数の分岐ブレーカの各々について取得された前記回路識別情報および前記種別情報を関連付けて記憶部に設定するステップとを含む。
本発明の一態様の分岐回路設定方法は、分電盤用キャビネットに収容され、主幹回路と分岐回路との間に接続される複数の分岐ブレーカの各々についての情報を設定する分岐回路設定方法であって、前記複数の分岐ブレーカの各々について、接続された前記分岐回路を識別するための回路識別情報を取得するステップと、前記複数の分岐ブレーカの各々の表面に設けられた、前記ブレーカの種別に応じて形状が異なる形状標識を検出する形状検出部から、前記形状検出部が検出した前記形状標識の形状が入力され、入力された前記形状標識の形状に基づいて前記種別情報を取得するステップと、前記複数の分岐ブレーカの各々について取得された前記回路識別情報および前記種別情報を関連付けて記憶部に設定するステップとを含む。
【０００９】
本発明の分電盤は、複数の分岐ブレーカと、上記の分岐回路設定装置と、前記分岐回路設定装置および前記複数の分岐ブレーカを収容する分電盤用キャビネットと、を備えたことを特徴とする。
【発明の効果】
【００１０】
本発明によれば、複数の分岐回路の情報を設定したり変更したりする作業が簡略化された分岐回路設定装置、プログラム、分岐回路設定方法、および分電盤を実現できる。
【図面の簡単な説明】
【００１１】
【図１】実施形態１の分電盤のブロック図である。
【図２】実施形態１の分電盤の外蓋が開けられた状態の正面図である。
【図３】実施形態１の分電盤の要部の正面図である。
【図４】実施形態１の分電盤の要部を模式的に示した図である。
【図５】実施形態１の分電盤の他の構成を示し、分電盤の要部を模式的に示した図である。
【図６】実施形態２の分電盤の要部を模式的に示した図である。
【図７】実施形態３の分電盤の要部を模式的に示した図である。
【図８】実施形態４の分電盤の要部を模式的に示した図である。
【図９】実施形態５の分電盤の要部を模式的に示した図である。
【発明を実施するための形態】
【００１２】
以下、実施形態に係る分岐回路設定装置および分電盤について図面を参照して説明する。ただし、以下の各実施形態で説明する構成は本発明の一例に過ぎない。本発明は、以下の実施形態に限定されず、本発明に係る技術的思想を逸脱しない範囲であれば、設計等に応じて種々の変更が可能である。
【００１３】
（実施形態１）
実施形態１に係る分岐回路設定装置および分電盤について図面を参照して説明する。
【００１４】
図１は、分岐回路設定装置を備えた分電盤の概略的なブロック図である。本実施形態の分電盤１は、複数の分岐ブレーカ２０（２１，２２）と、分岐回路設定装置（以下、設定装置と言う。）３０と、設定装置３０および複数の分岐ブレーカ２０を収容する分電盤用キャビネット４０とを備えている。本実施形態では、分電盤１が設置される電力の需要家の施設（customer's facility）が戸建住宅である場合を例に説明するが、この例に限らず、需要家の施設は、例えば集合住宅の各住戸や事務所や店舗や工場などでもよい。
【００１５】
まず、設定装置３０を備えた分電盤１の構成について、図１〜図３を参照して簡単に説明する。以下では、分電盤１が壁に取り付けられた状態での左右方向（図２のＸ軸方向）を左右方向、上下方向（図２のＹ軸方向）を上下方向とし、壁と垂直な方向（図２のＺ軸方向）を前後方向として説明するが、分電盤１の取付方向は上記の方向に限定されない。
【００１６】
分電盤１は、図２に示すように、住宅の壁等に取り付けられる分電盤用キャビネット４０を備える。分電盤用キャビネット４０は、正面視が横長の長方形状となり前面が開口した薄箱状に形成されている。分電盤用キャビネット４０の内部には、主幹ブレーカ５０と、複数の分岐ブレーカ２０（２１，２２）とが内器として収納されている。また分電盤用キャビネット４０の内部には、電流センサ６０（図１参照）、計測ユニット７０、第１通信アダプタ８１、第２通信アダプタ８２、および第３通信アダプタ８３も収納されている。本実施形態では第１通信アダプタ８１が、設定装置３０と筐体を共用することで、設定装置３０と一体化されているが、第１通信アダプタ８１と設定装置３０とが別々の筐体を有するように構成されてもよい。
【００１７】
分電盤用キャビネット４０の前面には内蓋が取り付けられてもよい。また分電盤用キャビネット４０には、内蓋の前面を覆うようにして、外蓋４１が開閉自在に取り付けられている。図２は外蓋４１が開いた状態を示し、外蓋４１が開いた状態では内蓋の前面が露出する。なお図２では内蓋の図示を省略している。内蓋には、分岐ブレーカ２０および主幹ブレーカ５０の操作ハンドルや、第１通信アダプタ８１の表示用ディスプレイ８１１および操作ボタン８１２を露出させる貫通孔が設けられている。表示用ディスプレイ８１１は、例えば２桁の７セグメントディスプレイからなる。したがって、外蓋４１を開ければ、内蓋を取り外さなくても、分岐ブレーカ２０および主幹ブレーカ５０の操作ハンドルや、第１通信アダプタ８１の操作ボタン８１２を操作することができ、また表示用ディスプレイ８１１の表示内容を確認することができる。
【００１８】
主幹ブレーカ５０は、その一次側に、系統電源（商用電源）の単相三線式の引込線１０１（図１参照）が電気的に接続される。主幹ブレーカ５０の二次側には、左右方向に長い長尺板状であって、導電部材からなる導電バー１０２が電気的に接続される。本実施形態の分電盤１は、単相三線式の配電方式を採用しているので、導電バー１０２は、第１の電圧極（Ｌ１相）の導電バー１０２１と、第２の電圧極（Ｌ２相）の導電バー１０２２と、中性極（Ｎ相）の導電バー１０２３とで構成されている（図３参照）。つまり、分電盤用キャビネット４０には３つの導電バー１０２（１０２１，１０２２，１０２３）が設けられている。これら３つの導電バー１０２（１０２１，１０２２，１０２３）は、主幹ブレーカ５０の右側に配置され、分電盤用キャビネット４０に固定されている。
【００１９】
複数の分岐ブレーカ２０（２１，２２）は、分電盤用キャビネット４０において主幹ブレーカ５０の右側に設けられた収容部４２に収容される（図２参照）。分岐ブレーカ２０には、負荷１１０への電力供給を遮断するための複数の分岐ブレーカ２１と、分散電源１２０を主幹回路に連系させるための連系用の分岐ブレーカ２２とがある。以下の説明において、分岐ブレーカ２１と分岐ブレーカ２２とに共通する説明を行う場合は分岐ブレーカ２０と表記する。
【００２０】
複数の分岐ブレーカ２１の各々は、負荷１１０が接続される分岐回路１０３と主幹回路（導電バー１０２）との間に電気的に接続されている。各分岐ブレーカ２１の二次側端子に接続された分岐回路１０３には、例えば照明器具や給湯設備等の機器、差込接続装置のコンセント（アウトレット）や壁スイッチ等の配線器具が、負荷１１０として１つ以上接続される。
【００２１】
分岐ブレーカ２２は、例えば太陽光発電装置、燃料電池、ガス発電装置、蓄電装置などの分散電源１２０が接続される分岐回路１０３と、主幹回路（導電バー１０２）との間に電気的に接続されている。分岐ブレーカ２２は、例えば系統電源からの電力供給が停止したときや、系統電源あるいは分散電源１２０に異常が生じたときなどに、分散電源１２０を電力系統から切り離す（解列する）ように動作する。
【００２２】
複数の分岐ブレーカ２１の各々は協約形寸法の１Ｐサイズに形成されており、分岐ブレーカ２２は協約型寸法の３Ｐサイズ（１Ｐサイズのブレーカを幅方向に３個並べたものとほぼ同じ寸法）に形成されている。協約形寸法とは「ＪＩＳ  Ｃ  ８２０１−２−１」に準拠した電灯分電盤用の回路遮断器の寸法（および形状）をいう。
【００２３】
複数の分岐ブレーカ２０（２１，２２）は、分電盤用キャビネット４０の収容部において上側（上段）と下側（下段）とに分かれて配置されている。図２の例では、上段には１１個の分岐ブレーカ２１が左右方向に並ぶように配置され、下段には１１個の分岐ブレーカ２１と連系用の分岐ブレーカ２２とが左右方向に並ぶように配置されている。上段及び下段に配置された分岐ブレーカ２１の数は１１個以外でもよく、上段に配置された分岐ブレーカ２１の数と下段に配置された分岐ブレーカ２１の数とが異なっていてもよい。
【００２４】
複数の分岐ブレーカ２０（２１，２２）の各々は一次側端子と二次側端子とを備えている。分岐ブレーカ２０の一次側端子は、主幹回路である導電バー１０２（１０２１，１０２２，１０２３）に電気的に接続される。分岐ブレーカ２０の二次側端子には分岐回路１０３が接続される。分岐ブレーカ２１の二次側端子に接続された分岐回路１０３には負荷１１０が接続されており、導電バー１０２を介して供給された電力は分岐ブレーカ２１によって負荷１１０に分配される。連系用の分岐ブレーカ２２の二次側端子に接続された分岐回路１０３には分散電源１２０が接続されており、分散電源１２０から供給された交流電力は分岐ブレーカ２２を介して主幹回路をなす導電バー１０２に供給される。
【００２５】
複数の分岐ブレーカ２１の各々は、導電バー１０２が差し込まれる差込口を有している。複数の分岐ブレーカ２１の各々が備える差込口は、３つ（Ｌ１相、Ｌ２相、中性相）の導電バー１０２（１０２１，１０２２，１０２３）の各々に対応するように、各分岐ブレーカ２１に３個ずつ設けられている。分岐ブレーカ２１の一次側端子は、これら３個の差込口のうち２個の差込口内に露出するように設けられている。１００Ｖ用の分岐ブレーカ２１では、Ｌ１相およびＬ２相の導電バー１０２１，１０２２が挿入される２カ所の差込口のいずれか一方と、中性相の導電バー１０２３が挿入される挿入口とに一次側端子が設けられている。２００Ｖ用の分岐ブレーカ２１では、Ｌ１相の導電バー１０２１が挿入される差込口と、Ｌ２相の導電バー１０２２が挿入される差込口とに一次側端子が設けられている。
【００２６】
連系ブレーカとして使用される分岐ブレーカ２２も、分岐ブレーカ２１と同様、導電バー１０２が差し込まれる差込口を有している。分岐ブレーカ２２には、３つ（Ｌ１相、Ｌ２相、中性相）の導電バー１０２（１０２１，１０２２，１０２３）の各々に対応するように３つの差込口が設けられ、３つの差込口の全てに一次側端子が設けられている。
【００２７】
ここで、第１の電圧極（Ｌ１相）の導電バー１０２１と第２の電圧極（Ｌ２相）の導電バー１０２２とは、複数の分岐ブレーカ２０（２１，２２）の各々に対応する位置において、分岐ブレーカ２０の差込口に挿入される接続端子を備えている。この接続端子は、電圧極の導電バー１０２（１０２１，１０２２）から前方に立ち上がり、かつ先端部が二股に分かれるように形成されている。二股に分かれた接続端子の先端部は、一方が上段の分岐ブレーカ２０に接続されるように上向きに突出し、他方が下段の分岐ブレーカ２０に接続されるように下向きに突出する。上段の分岐ブレーカ２０側では、３つの導電バー１０２１，１０２２，１０２３は、前後方向において手前側（壁とは反対側）から中性極、第２の電圧極、第１の電圧極の順に並んでいる。下段の分岐ブレーカ２０側では、３つの導電バー１０２１，１０２２，１０２３は、前後方向において手前側（壁とは反対側）から中性極、第１の電圧極、第２の電圧極の順に並んでいる。これにより、各分岐ブレーカ２０は、分電盤用キャビネット４０に取り付けられた状態で、３つの差込口に導電バー１０２（１０２１，１０２２，１０２３）が差し込まれ、一次側端子が導電バー１０２と電気的に接続される。なお、第１の電圧極の導電バー１０２１と第２の電圧極の導電バー１０２２とにおいては、分岐ブレーカ２０に設けられた差込口に接続端子の先端部が差し込まれる。
【００２８】
１００Ｖ用の分岐ブレーカ２１では、一次側端子が、３個の差込口のうち、両端の２個の差込口内に露出するように設けられている。これにより、１００Ｖ用の分岐ブレーカ２１は、上段に取り付けられた状態では第１の電圧極と中性極とに対して電気的に接続され、下段に取り付けられた状態では第２の電圧極と中性極とに対して電気的に接続される。
【００２９】
２００Ｖ用の分岐ブレーカ２１では、一次側端子が、３個の差込口のうち、後方の２個の差込口内に露出するように設けられている。これにより、２００Ｖ用分岐ブレーカ２１は、上段および下段のいずれに取り付けられた状態でも、第１の電圧極と第２の電圧極とに対して電気的に接続される。
【００３０】
電流センサ６０は、複数の分岐回路１０３の各々での電力を計測する。また計測ユニット７０は、後述する特定回路での電力を計測する。
【００３１】
第１通信アダプタ８１、第２通信アダプタ８２、および第３通信アダプタ８３は、それぞれ分電盤１の外部との通信機能を有している。第１通信アダプタ８１、第２通信アダプタ８２、および第３通信アダプタ８３のそれぞれの通信方式としては、無線通信、有線通信を問わず適宜の方式が適用可能である。図２の例では、第１通信アダプタ８１、第２通信アダプタ８２、および第３通信アダプタ８３は、分電盤用キャビネット４０の左側に設けられたスペースに取り付けられている。第２通信アダプタ８２は第１通信アダプタ８１の上方に配置され、第３通信アダプタ８３は第１通信アダプタ８１の下方に配置されている。
【００３２】
第１通信アダプタ８１は、機器の制御を行うコントローラとの通信機能を有する。ここでいう機器とはＨＥＭＳ（Home Energy Management System）対応機器である。ＨＥＭＳ対応機器は、電力の管理対象であれば足り、例えばＨＥＭＳにおいて重要な８機器（スマートメータ、太陽光発電装置、蓄電装置、燃料電池、電気自動車、エアコン、照明器具、給湯装置）などを含む。
【００３３】
第１通信アダプタ８１は、電流センサ６０から複数の分岐回路１０３の電力情報を受信し、計測ユニット７０から特定回路の電力情報を受信することで、複数の分岐回路１０３や特定回路の各々の瞬時電力のデータを収集する機能を有している。第１通信アダプタ８１は、複数の分岐回路１０３や特定回路の各々について、瞬時電力を所定時間にわたって積算した電力量を演算する機能を有していてもよい。第１通信アダプタ８１は、これらの電力情報（瞬時電力あるいは電力量）をコントローラへ送信する。これにより、コントローラは、表示端末を制御して電力情報を可視化（見える化）したり、電力情報に基づいて（ＨＥＭＳ対応）機器を制御したりすることができる。
【００３４】
第２通信アダプタ８２は、通信機能を有する電力メータ（いわゆるスマートメータ）との通信機能を有している。第３通信アダプタ８３は、ガスメータ、水道メータ、太陽光発電装置、電気自動車に電気的に接続される電力変換装置、蓄電装置のうち少なくとも１つからなるエネルギー管理装置との通信機能を有している。第２通信アダプタ８２および第３通信アダプタ８３は、それぞれ第１通信アダプタ８１と電気的に接続されている。
【００３５】
また、分電盤１は、太陽光発電装置が電気的に接続される一次連系ブレーカを、内器として備えてもよい。一次連系ブレーカは、分電盤用キャビネット４０における主幹ブレーカ５０の左側のスペースに配置され、主幹ブレーカ５０の一次側に電気的に接続される。一次連系ブレーカは、例えば系統電源からの電力供給が停止したときや、系統電源あるいは太陽光発電装置に異常が生じたときなどに、太陽光発電装置を電力系統から切り離す（解列する）ように動作する。
【００３６】
電流センサ６０は、複数の分岐ブレーカ２０の各々に接続された分岐回路１０３での電力を測定するためのセンサであって、導電バー１０２に取り付けられる。図２の例では、上段の分岐ブレーカ２０、下段の分岐ブレーカ２０のそれぞれに対して、電流センサ６０が設けられている。
【００３７】
電流センサ６０は、それぞれ対応する分岐回路１０３に流れる電流を測定する複数の測定部６１が実装されたプリント配線基板を備える。プリント配線基板には、導電バー１０２１，１０２２の接続端子にそれぞれ対応する位置に、プリント配線基板を厚み方向に貫通する貫通穴が設けられている。これにより、電流センサ６０は、複数の貫通孔に複数の接続端子が差し込まれた状態で、導電バー１０２に取り付けられることになる。さらに、この状態では、各接続端子は、貫通孔を通して分岐ブレーカ２０（２０，２１）に接続されることになる。
【００３８】
電流センサ６０のプリント配線基板には複数の測定部６１が実装されている。複数の測定部６１の各々は対応する分岐回路１０３に流れる電流を計測する。測定部６１は、プリント配線基板において、接続端子が挿入される貫通孔の周囲にそれぞれ形成されている。本実施形態の測定部６１は、例えばコアを用いない（コアレスの）空芯コイルからなり、貫通孔に通された接続端子に流れる電流に応じた出力を発生するロゴスキコイルである。なお測定部６１はロゴスキーコイルに限定されず、変流器（カレントトランス）、ホール素子、磁気抵抗素子、ＧＭＲ（Giant Magnetic Resistances）素子、シャント抵抗などで構成されてもよい。
【００３９】
電流センサ６０は、各測定部６１の出力に基づいて、複数の分岐ブレーカ２０の各々（各々の分岐回路１０３）に流れる電流を測定する。なお測定部６１は、１つの分岐ブレーカ２０に接続される２個の接続端子のうちの一方（例えば後側に位置する接続端子）に流れる電流を測定できるように、前後方向に並ぶ一対の貫通孔のうち後側（壁側）の貫通孔の周囲にのみ設けられている。これにより、上段側の電流センサ６０では第１の電圧極（Ｌ１相）の電流値を測定し、下段側の電流センサ６０では第２の電圧極（Ｌ２相）の電流値を測定することになる。
【００４０】
また、電流センサ６０は、測定部６１の出力を受ける処理回路をプリント配線基板に有している。処理回路は、例えばＡＳＩＣ（Application Specific Integrated Circuit）からなり、測定部６１の出力に対し、積分等の適宜の処理を施すように構成されている。本実施形態ではさらに、電流センサ６０は、各測定部６１の出力を用いて、複数の分岐回路１０３の各々について瞬時電力を演算する演算装置を基板に有している。演算装置は、例えばマイコン（マイクロコンピュータ）からなり、処理回路と通信することにより、測定部６１の出力に適宜の処理が施された後のデータを処理回路から受信する。演算装置は、複数の分岐回路１０３の各々について線間電圧の値を示す電圧情報を計測ユニット７０から取得し、各測定部６１の出力から求まる電流値と、電圧情報とに基づいて、各分岐回路１０３の電力（瞬時電力）の値を演算により求めている。
【００４１】
電流センサ６０は、計測ユニット７０を介して第１通信アダプタ８１（設定装置３０）に電気的に接続されており、計測ユニット７０を通して第１通信アダプタ８１へ各分岐回路１０３での消費電力（瞬時電力）の演算結果を送信する。
【００４２】
計測ユニット７０は、上述した３本の導電バー１０２に電気的に接続されており、導電バー１０２からの電力を受けて、電流センサ６０や第１通信アダプタ８１を含む内器の動作用電源を生成する電源回路を有している。さらに、計測ユニット７０は、３つの導電バー１０２の線間電圧を計測し、計測された電圧の値を電圧情報として電流センサ６０へ出力する機能を有している。
【００４３】
また、計測ユニット７０は、電流センサ６０の計測対象である分岐回路１０３以外の特定回路について、電力を計測するように構成されている。計測ユニット７０には、例えばカレントトランス（ＣＴ）からなる計測部７１が電気的に接続され、この計測部７１によって、例えば主幹ブレーカ５０を通過する電流の値を計測する。そして、計測ユニット７０は、計測された電流の値と、電圧情報とに基づいて、瞬時電力の値を演算により求めるように構成されている。計測ユニット７０は、第１通信アダプタ８１と電気的に接続されており、特定回路についての電力の演算結果を第１通信アダプタ８１へ送信する。
【００４４】
電流センサ６０および計測ユニット７０は、本実施形態ではそれぞれ電力情報を求めるように構成されているが、この例に限らず、少なくとも各電路（分岐回路１０３または特定回路）に流れる電流の値を計測する構成であればよい。例えば電流センサ６０および計測ユニット７０は、計測した電流値を第１通信アダプタ８１へ送信する構成であってもよい。
【００４５】
上述したような構成の分電盤１においては、例えば電流センサ６０や計測ユニット７０での計測のためのパラメータなど、各種の設定情報を設定する必要があり、これらの設定情報を設定するために設定装置３０が設けられている。
【００４６】
設定装置３０によって設定される設定情報は、分電盤１に関して設定される情報であればよいが、本実施形態では設定情報が、電流センサ６０が各分岐回路１０３の電力を計測するために必要な情報である場合を例に説明する。
【００４７】
すなわち、本実施形態では設定情報が、複数ある分岐回路１０３を個々に識別するための回路識別情報と、分岐ブレーカ２０の種別を示す種別情報とを含んでおり、回路識別情報および種別情報について以下に説明する。
【００４８】
電流センサ６０は、複数の分岐回路１０３の各々で電力を測定するので、複数ある分岐ブレーカ２０の各々がどの分岐回路１０３に接続されているかを識別するために、各分岐ブレーカ２０に分岐回路１０３を識別する回路識別情報が設定される。
【００４９】
分岐ブレーカ２０の種別を示す種別情報には、分岐ブレーカ２０の印加電圧の大きさを示す情報と、分岐ブレーカ２０に接続される機器の種類を示す情報とがある。
【００５０】
単相三線式においては、第１の電圧極（Ｌ１相）あるいは第２の電圧極（Ｌ２相）と中性極とに接続された分岐回路１０３の印加電圧は「１００Ｖ」、第１の電圧極と第２の電圧極とに接続された分岐回路１０３の印加電圧は「２００Ｖ」となる。そこで、電流センサ６０が各分岐回路１０３の電力を計測するに当たり、各分岐回路１０３について印加電圧の大きさを「１００Ｖ」と「２００Ｖ」との２種類から選択する必要がある。本実施形態の設定装置３０は、電流センサ６０に対して、各分岐回路１０３の印加電圧の大きさを「１００Ｖ」および「２００Ｖ」のいずれかに設定している。ここで、印加電圧の大きさを表す設定情報を「電圧区分」という。
【００５１】
分岐ブレーカ２０に接続される機器としては、例えば照明器具、エアコン、給湯装置などの負荷機器や、太陽光発電装置などの発電装置や、蓄電装置など、様々な種別の機器がある。負荷機器が接続された分岐回路１０３と、発電装置が接続された分岐回路１０３と、蓄電装置が接続された分岐回路１０３とでは、電力供給の向きが異なる。つまり、負荷機器が接続された分岐回路１０３では、分電盤１から負荷機器に向けて電力が供給されるのに対して、発電装置が接続された分岐回路１０３では、機器（発電装置）から分電盤１に向けて電力が供給される。また、蓄電装置が接続された分岐回路１０３においては、蓄電池の充電時と放電時とで電力供給の向きが異なり、分電盤１と機器（蓄電装置）との間で双方向に電力が供給される。そこで、電流センサ６０では、各分岐回路１０３の電力を計測するに当たり、各分岐回路１０３について接続される機器の種別（用途）を「負荷機器」、「発電装置」、「蓄電装置」の中から選択する必要がある。本実施形態の設定装置３０は、電流センサ６０に対して、各分岐回路１０３（すなわち各分岐ブレーカ２０）に接続される機器の種別を例えば「負荷機器」、「発電装置」、「蓄電装置」のうちのいずれかに設定する。ここで、各分岐ブレーカ２０に接続される機器の種別を示す情報を機器情報という。
【００５２】
本実施形態では、図１および図２に示すように分電盤１の分電盤用キャビネット４０内に設定装置３０が設けられており、この設定装置３０によって上記の設定情報が設定される。すなわち、上記の設定情報は、設定装置３０に設けられている記憶部３５に書き込まれて保持される。上述のように本実施形態では、設定装置３０と第１通信アダプタ８１とが筐体を共用しているが、設定装置３０の筐体に、第１通信アダプタ８１の機能を内蔵することは必須ではなく、設定装置３０と第１通信アダプタ８１とが別々の筐体を有するように構成されてもよい。
【００５３】
なお、設定情報は、回路識別情報と、種別情報（電圧区分および機器情報からなる）とに限定されず、その他に分電盤１に関する種々の設定情報を含んでいてもよい。例えば設定情報として、分岐回路１０３の回路数、測定部６１ごとの有効と無効との別、電圧相（Ｌ１相、Ｌ２相）などの情報が含まれていてもよい。単相三線式の配電方式では、中性極と第１の電圧極とに接続された分岐回路１０３の電圧相はＬ１相であり、中性極と第２の電圧極とに接続された分岐回路１０３の電圧相はＬ２相である。そこで、複数の分岐回路１０３のうち、電圧区分が１００Ｖである分岐回路１０３については、電圧相（Ｌ１相またはＬ２相）が設定情報として設定されてもよい。ただし、本実施形態の分電盤１では上段の分岐ブレーカ２０はＬ１相、下段の分岐ブレーカ２０はＬ２相というように、上段か下段かによって電圧相は決まるから、電圧相の設定を省略できる。
【００５４】
また、第１通信アダプタ８１が計測ユニット７０に電気的に接続されていることにより、設定装置３０もまた、計測ユニット７０に対して電気的に接続されている。そのため、設定装置３０は、計測ユニット７０とデータのやり取りが可能で、かつ、計測ユニット７０を経由して電流センサ６０ともデータのやり取りが可能である。
【００５５】
さらに詳しく説明すると、設定装置３０は、図１に示すように、外部からの信号入力やユーザによる操作入力の受け付け、およびユーザへの情報の提示を行うインタフェース３１と、内部的な処理を行う設定ブロック３４とに機能的に分かれている。設定ブロック３４は、インタフェース３１と第１通信アダプタ８１との両方に対して電気的に接続されている。
【００５６】
インタフェース３１は、入力部３２および表示部３３を有している。設定ブロック３４は、記憶部３５と設定部３６とを有している。なお、入力部３２の一部の機能と設定部３６の機能とは、マイクロコンピュータが所定のプログラムを実行することによって実現される。このプログラムは、電気通信回線を通じて提供されてもよいし、メモリカードなどの記録媒体に記憶されて提供されてもよい。
【００５７】
入力部３２は、外部（例えば分岐ブレーカ２０）から入力される電気信号を受信して、入力情報を設定部３６に出力する。また入力部３２は、第１通信アダプタ８１の前面に設けられた操作ボタン８１２などの操作に応じて入力情報を設定部３６に出力する。表示部３３は、第１通信アダプタ８１が備える表示用ディスプレイ８１１などで構成されており、例えば設定部３６で設定中の設定情報を表示する。記憶部３５は、ＥＥＰＲＯＭ（Electrically Erasable and Programmable Read Only Memory）などの電気的に書き換え可能な不揮発性メモリからなり、設定部３６によって設定された設定情報を記憶する。設定部３６は、入力部３２から入力された入力情報に基づいて記憶部３５に設定情報を設定する。
【００５８】
設定装置３０は、設定済みの設定情報を記憶部３５に保持（記憶）している。そのため、電流センサ６０および計測ユニット７０は、記憶部３５内の設定情報を参照することにより、設定済みの設定情報を計測時に用いることができる。
【００５９】
本実施形態の分電盤１では、分電盤１の施工時あるいは分岐ブレーカ２０の構成を変更した場合、ユーザが操作ボタン８１２を例えば一定時間以上連続して操作することで、設定装置３０に設定動作を開始させる。すなわち、ユーザが操作ボタン８１２を例えば一定時間以上連続して操作すると、入力部３２から設定動作を開始させる入力情報が設定ブロック３４に出力され、設定ブロック３４の設定部３６が設定情報の設定動作を開始する。
【００６０】
設定ブロック３４の設定部３６が設定情報の設定動作を開始すると、取得部としての入力部３２に、導電バー１０２に接続された分岐ブレーカ２０との間で通信を行わせ、分岐ブレーカ２０から回路識別情報と種別情報を取得させる。
【００６１】
入力部３２は、図４に示すように、導電バー１０２に接続される複数の分岐ブレーカ２０の各々とバス配線１０４を介して通信する有線通信部３２１を備える。ここにおいて、バス配線１０４の一部は、電流センサ６０に設けられた導電路で構成されている。なお、図４では上段側の分岐ブレーカ２０は図示を省略している。
【００６２】
複数の分岐ブレーカ２０の各々には、有線通信部３２１と通信する有線通信部２０１と、分岐回路１０３の回路識別情報を検知する検知部２０２と、記憶部２０３とが設けられている。
【００６３】
本実施形態の分電盤１では、導電バー１０２に分岐ブレーカ２０を接続する接続位置（スロット位置）が予め決められている。本実施形態では、分岐ブレーカ２０の接続位置によって回路番号が決められており、この回路番号を回路識別情報としている。図１に示すように、複数の分岐ブレーカ２０が上下２段に分かれて分電盤用キャビネット４０に取り付けられている。上段側の分岐ブレーカ２０には、左側から順番に「１」「３」「５」「７」…のように昇順で増加する奇数の番号が回路番号として割り当てられる。下段側の分岐ブレーカ２０には、左側から順番に「２」「４」「６」「８」…のように昇順で増加する偶数の番号が回路番号として割り当てられる。電流センサ６０には、各接続位置に接続される分岐ブレーカ２０に対して、接続位置に対応した回路番号を表す電気信号を出力する出力部が設けられている。この出力部から出力される電気信号は、例えば回路番号に応じた電圧値の電圧信号である。
【００６４】
したがって、分岐ブレーカ２０が導電バー１０２に接続されると、分岐ブレーカ２０の検知部２０２が、電流センサ６０の出力部から出力される電気信号を取り込み、この電気信号から回路番号（すなわち回路識別情報）を検知する。なお、検知部２０２は、電流センサ６０から回路番号が電気信号で入力されるものに限定されず、導電バー１０２への接続位置を機械的に読み取るように構成されてもよい。例えば、中性相の導電バー１０２３のエッジ部分において複数の接続位置の各々に回路番号を表す凹凸形状が形成されており、検知部２０２が、導電バー１０２３の凹凸形状を読み取ることで、回路番号を回路識別情報として取り込むように構成されてもよい。
【００６５】
記憶部２０３は例えばＲＯＭ（Read Only Memory）などのメモリで構成される。記憶部２０３には、印加電圧を示す電圧区分の情報と、分岐ブレーカ２０に接続される機器が負荷機器、発電装置、蓄電装置のいずれであるかを示す機器情報とが予め登録されている。
【００６６】
ここで、本実施形態の設定装置３０が分岐ブレーカ２０の設定情報を設定する動作について以下に説明する。
【００６７】
導電バー１０２に複数の分岐ブレーカ２０が接続された状態で、ユーザが操作ボタン８１２を所定時間以上連続して操作すると、入力部３２から設定動作を開始させる入力情報が設定部３６に出力され、設定部３６が設定情報の設定動作を開始する。なお、設定部３６は、設定装置３０に初めて電源が投入された場合に、設定情報の設定動作を開始するように構成されてもよい。
【００６８】
設定部３６は設定動作を開始すると、有線通信部３２１を制御して導電バー１０２に接続された複数の分岐ブレーカ２０の各々と順番に通信を行わせ、各分岐ブレーカ２０から設定情報を送信させる。このとき、分岐ブレーカ２０の有線通信部２０１は、記憶部２０３から読み出した分岐ブレーカ２０に接続される機器の情報（機器情報）および電圧区分と、検知部２０２が検知した回路番号（回路識別情報）とを、設定装置３０に送信する。取得部としての有線通信部３２１は、複数の分岐ブレーカ２０の各々から送信された、電圧区分および機器情報からなるブレーカの種別情報と、回路識別情報とを受信する（第１のステップ）。そして、設定部３６は、複数の分岐ブレーカ２０の各々について、有線通信部３２１が受信した電圧区分および機器情報からなるブレーカの種別情報と、回路識別情報とを対応付けて記憶部３５に記憶させる（第２のステップ）。これにより、記憶部３５には、導電バー１０２に接続された複数の分岐ブレーカ２０の各々について、回路識別情報と機器情報とが対応付けて設定される。このように、設定装置３０は、導電バー１０２に接続された分岐ブレーカ２０から回路識別情報と種別情報とを収集して、記憶部３５に設定しているので、ユーザが各分岐ブレーカ２０の回路識別情報や種別情報を入力する必要がなく、設定の手間を簡略化できる。なお、設定装置３０（第１通信アダプタ８１）は、記憶部３５に設定された各分岐ブレーカ２０の回路識別情報と種別情報とを、ＨＥＭＳのコントローラに送信してもよい。
【００６９】
設定装置３０は、導電バー１０２に接続された複数の分岐ブレーカ２０の全てについて設定情報を設定すると、設定情報の設定動作を終了し、記憶部３５に設定された各分岐ブレーカ２０の設定情報を電流センサ６０に出力する。電流センサ６０は、設定装置３０から各分岐ブレーカ２０の設定情報（回路識別情報および種別情報）が入力されると、この設定情報に基づいて、印加電圧の電圧区分および機器の種別を把握できる。電流センサ６０は、各分岐ブレーカ２０の回路識別情報と種別情報とをもとに、各接続位置に接続された分岐ブレーカ２０について電圧区分および機器情報を取得する。これにより、電流センサ６０は、各分岐回路１０３の印加電圧と、各分岐回路１０３に接続された機器の種類とを把握でき、これらの情報と各分岐回路１０３に流れる電流とをもとに、各分岐回路１０３の電力を演算により求めることができる。
【００７０】
ところで、設定装置３０の入力部３２は、有線通信部３２１の代わりに、導電バー１０２に接続された分岐ブレーカ２０の無線通信部２０４との間で無線通信を行う無線通信部３２２を備えてもよい（図５参照）。なお、無線通信部２０４，３２２以外の構成は図４に示す分電盤１と同様であるので、共通する構成要素には同一の符号を付して、その説明は省略する。また、図５では上段側の分岐ブレーカ２０は図示を省略している。
【００７１】
設定装置３０の入力部３２は、無線通信部３２２が分岐ブレーカ２０の無線通信部２０４と無線通信を行うことによって、分岐ブレーカ２０から回路識別情報と種別情報（電圧区分および機器情報）を取得する。このように、設定装置３０の入力部３２は、分岐ブレーカ２０の無線通信部２０４と無線通信を行う無線通信部３２２を備えているので、分岐ブレーカ２０と設定装置３０とを接続する通信線が不要になるという利点がある。
【００７２】
以上説明したように、本実施形態の分岐回路設定装置（設定装置３０）は、取得部（入力部３２）と、設定部３６とを備える。取得部は、分電盤用キャビネット４０に収容されて主幹回路（導電バー１０２）と分岐回路１０３との間に電気的に接続される複数の分岐ブレーカ２０（２１，２２）の各々について回路識別情報および種別情報を取得する。回路識別情報は接続された分岐回路１０３を識別するための情報であり、種別情報はブレーカの種別を示す情報である。設定部３６は、複数の分岐ブレーカ２０の各々について、取得部が取得した回路識別情報と種別情報とを関連付けて記憶部３５に設定する。
【００７３】
このように、設定部３６は、取得部が取得した回路識別情報と種別情報とを関連付けて記憶部３５に設定するから、回路識別情報や種別情報をユーザが入力する必要がなく、複数の分岐回路１０３の情報を設定したり変更したりする作業を簡略化することができる。また、回路識別情報や種別情報をユーザが設定する必要がないから、設定ミスを減らすことができる。
【００７４】
ここで、取得部としての入力部３２は、外部から入力される電気信号に基づいて回路識別情報および種別情報を取得するように構成されてもよい。この構成によれば、回路識別情報や種別情報を電気信号で入力させることができる。
【００７５】
また、取得部（入力部３２）は、複数の分岐ブレーカ２０の各々とバス配線１０４を介して通信する有線通信部３２１を備えてもよい。取得部は、有線通信部３２１が複数の分岐ブレーカ２０の各々と通信することによって、複数の分岐ブレーカ２０の各々から電気信号で入力された回路識別情報および種別情報を取得するように構成されてもよい。
【００７６】
有線通信部３２１は、バス配線１０４を介して分岐ブレーカ２０と通信することで、分岐ブレーカ２０から回路識別情報および種別情報を取得しているので、ユーザが回路識別情報や種別情報を設定する必要がなく、設定作業を簡略化できる。また有線通信部３２１はバス配線１０４を介して分岐ブレーカ２０と通信しているので、電磁ノイズが存在する環境でも回路識別情報および種別情報を確実に取得することができる。
【００７７】
また、取得部（入力部３２）は、複数の分岐ブレーカ２０の各々と無線通信を行う無線通信部３２２を備えてもよい。取得部は、無線通信部３２２が複数の分岐ブレーカの各々と無線通信を行うことによって、複数の分岐ブレーカ２０の各々から電気信号で入力された回路識別情報および種別情報を取得するように構成されてもよい。
【００７８】
無線通信部３２２は、分岐ブレーカ２０と無線通信を行うことで、分岐ブレーカ２０から回路識別情報および種別情報を取得しているので、ユーザが回路識別情報や種別情報を設定する必要がなく、設定作業を簡略化できる。また、無線通信部３２２は分岐ブレーカ２０と無線通信を行っているので、設定装置３０と分岐ブレーカ２０との間を電気的に接続する通信線が不要になるという利点もある。
【００７９】
また本実施形態の分岐回路設定方法は、分電盤用キャビネット４０に収容され、主幹回路（導電バー１０２）と分岐回路１０３との間に接続される複数の分岐ブレーカ２０の各々についての情報を設定する分岐回路設定方法である。この分岐回路設定方法は第１のステップと第２のステップとを含む。第１のステップは、複数の分岐ブレーカ２０の各々について、接続された分岐回路１０３を識別するための回路識別情報、およびブレーカの種別を示す種別情報を取得するステップである。第２のステップは、第１のステップで取得された回路識別情報と種別情報とを関連付けて記憶部３５に設定するステップである。
【００８０】
このように、複数の分岐ブレーカ２０の各々について回路識別情報と種別情報とが取得され、取得された回路識別情報と種別情報とは関連付けて記憶部３５に設定されるから、ユーザが回路識別情報や種別情報を設定する必要がない。したがって、複数の分岐ブレーカ２０の各々について回路識別情報と種別情報とを設定したり変更したりする作業を簡略化することができる。
【００８１】
（実施形態２）
実施形態２に係る分岐回路設定装置および分電盤について図６を参照して説明する。
【００８２】
実施形態１の設定装置３０では入力部３２が有線通信部３２１や無線通信部３２２を備えていたが、実施形態２の設定装置３０では入力部３２がパラレル入力部３２３を備えている（図６参照）。また、各分岐ブレーカ２０には、ブレーカの種別に応じて予め設定された電圧値の電圧信号を発生する信号発生部２０５が設けられている。なお、パラレル入力部３２３および信号発生部２０５以外の構成は実施形態１と同じであるから、共通の構成要素には同一の符号を付して、その説明は省略する。また、図６では上段側の分岐ブレーカ２０は図示を省略している。
【００８３】
パラレル入力部３２３は、複数の分岐ブレーカ２０の各々と個別の信号路１０５を介して電気的に接続され、複数の分岐ブレーカ２０の各々から信号路１０５を介して電気信号が入力される。
【００８４】
各分岐ブレーカ２０の信号発生部２０５は、導電バー１０２から入力される交流電圧を整流、平滑した後に、抵抗器などで分圧することによって、ブレーカの種別に応じて予め設定された電圧値の電圧信号を発生する。導電バー１０２に対して分岐ブレーカ２０が接続されると、信号発生部２０５が信号路１０５に電気的に接続され、信号発生部２０５が発生する電圧信号が信号路１０５を介してパラレル入力部３２３に入力される。
【００８５】
設定装置３０のパラレル入力部３２３には、導電バー１０２の全ての接続位置に接続された分岐ブレーカ２０から電圧信号が入力されるように、全ての接続位置に接続される分岐ブレーカ２０に対応して信号路１０５が設けられている。すなわち、複数ある信号路１０５の各々は、分岐回路１０３の回路番号に対応して設けられている。よって、パラレル入力部３２３では、複数ある信号路１０５のうち電圧信号が入力された信号路１０５から、この信号路１０５に接続された分岐ブレーカ２０の回路番号（すなわち回路識別情報）を取得できる。またパラレル入力部３２３は、信号路１０５を介して入力された電圧信号の電圧レベルから、この信号路１０５に接続された分岐ブレーカ２０の種別（例えば電圧区分および機器種別）を取得することができる。
【００８６】
ここで、設定装置３０が分岐ブレーカ２０の設定情報を設定する動作について以下に説明する。
【００８７】
導電バー１０２に複数の分岐ブレーカ２０が接続された状態で、ユーザが設定装置３０の操作ボタン８１２を所定時間以上連続して操作すると、入力部３２から設定動作を開始させる入力情報が設定部３６に出力され、設定部３６が設定情報の設定動作を開始する。
【００８８】
設定部３６は設定動作を開始すると、パラレル入力部３２３を制御し、複数の信号路１０５の各々に入力された電圧信号を取り込む処理をパラレル入力部３２３に行わせる。パラレル入力部３２３は、電圧信号が入力された信号路１０５から、信号路１０５に対応する接続位置に分岐ブレーカ２０が接続されていることを把握でき、分岐ブレーカ２０に接続される分岐回路１０３の回路識別情報を取得する。またパラレル入力部３２３は、信号路１０５を介して入力された電圧信号の電圧値から、信号路１０５に接続された分岐ブレーカ２０の種別情報を取得する。したがって、取得部としてのパラレル入力部３２３は、導電バー１０２に接続された複数の分岐ブレーカ２０の各々について回路識別情報と種別情報とを取得することができ、取得した回路識別情報と種別情報とを設定部３６に出力する。ここにおいて、パラレル入力部３２３は、入力された電圧信号をＡ／Ｄ変換するＡ／Ｄ変換部と、Ａ／Ｄ変換部の出力から種別情報を取得する信号処理部とを含んで構成される。
【００８９】
パラレル入力部３２３が、全ての信号路１０５に接続された分岐ブレーカ２０から回路識別情報および種別情報を取得すると、取得した回路識別情報および種別情報を設定部３６に出力する。設定部３６は、パラレル入力部３２３から各分岐ブレーカ２０の回路識別情報と種別情報とが入力されると、各々の分岐ブレーカ２０についての回路識別情報と種別情報とを対応付けて記憶部３５に記憶させる。
【００９０】
以上のように、取得部（入力部３２）は信号入力部（パラレル入力部３２３）を備えてもよい。信号入力部は、複数の分岐ブレーカ２０の各々と個別の信号路１０５を介して電気的に接続され、複数の分岐ブレーカ２０の各々から信号路１０５を介して電気信号が入力される。取得部は、電気信号が入力された信号路１０５をもとに回路識別情報を取得し、信号路１０５を介して入力された電気信号から種別情報を取得するように構成されてもよい。
【００９１】
取得部では、電気信号が入力された信号路１０５から回路識別情報を取得し、信号路１０５を介して入力された電気信号から種別情報を取得しているので、分岐ブレーカ２０と通信する通信部を備える必要がないという利点がある。
【００９２】
（実施形態３）
実施形態３に係る分岐回路設定装置および分電盤について図７を参照して説明する。なお、図７は分電盤１の要部を示し、図７では導電バー１０２に対して分岐ブレーカ２０が上下２段に５個ずつ取り付けられた状態を示している。
【００９３】
本実施形態の設定装置３０では、複数の分岐ブレーカ２０の各々の表面に設けられたブレーカの種別を示す視覚的な種別標識を検出する種別標識検出部から、種別標識検出部が検出した種別標識が入力部３２（取得部）に入力される。ここにおいて、視覚的な種別標識とは、光学的なセンサで検出可能な標識や、イメージセンサなどの撮像素子で撮像された画像から抽出可能な標識である。そして、入力部３２は、種別標識検出部から入力された種別標識に基づいて種別情報を取得するように構成されている。なお、入力部３２や分岐ブレーカ２０に設けられた種別標識以外の構成は実施形態１または２と同じであるから、実施形態１，２と共通の構成要素には同一の符号を付して、その説明は省略する。
【００９４】
図７に示すように、各分岐ブレーカ２０の表面には、視覚的な種別標識としてバーコードラベル２１０が貼り付けられている。バーコードラベル２１０には、ブレーカの種別を示す１次元バーコードが表示されている。バーコードラベル２１０に表示されたバーコードには、印加電圧を示す電圧区分と、分岐ブレーカ２０に接続される機器の種別を示す機器情報とが少なくとも含まれている。なお種別標識は、分岐ブレーカ２０の表面にエッチング処理を施すことによって直接刻印されたバーコードや、分岐ブレーカ２０の表面に直接印刷されたバーコードでもよい。
【００９５】
分電盤用キャビネット４０における複数の分岐ブレーカ２０の収容部４２には、分岐ブレーカ２０に設けられたバーコードラベル２１０と隣接するように、視覚的な回路標識としてバーコードラベル４２１が貼り付けられている。バーコードラベル４２１には１次元バーコードが表示されており、バーコードラベル４２１に表示された１次元バーコードには、分岐回路を識別するための回路識別情報（回路番号）の情報が少なくとも含まれている。
【００９６】
分岐ブレーカ２０のバーコードラベル２１０と、分岐ブレーカ２０の取付部位にバーコードラベル２１０と隣接して設けられたバーコードラベル４２１とはバーコードリーダ９１によって一度に読み取られる。バーコードリーダ９１は、設定装置３０の入力部３２と通信を行い、バーコードラベル２１０，４２１から読み取った情報を入力部３２に出力する。入力部３２は、バーコードリーダ９１から入力されたバーコードラベル２１０の情報をもとにブレーカの種別情報を取得し、バーコードリーダ９１から入力されたバーコードラベル４２１の情報をもとに回路識別情報を取得する。
【００９７】
本実施形態の設定装置３０による設定動作について以下に説明する。複数の分岐ブレーカ２０が導電バー１０２に接続された状態で、ユーザが設定装置３０の操作ボタン８１２を所定時間以上連続して操作すると、入力部３２から設定動作を開始させる入力情報が設定部３６に出力され、設定部３６が設定情報の設定動作を開始する。設定部３６が設定動作を開始した状態で、ユーザがバーコードリーダ９１を操作して、バーコードリーダ９１に、分岐ブレーカ２０のバーコードラベル２１０と、バーコードラベル２１０に隣接した設けられたバーコードラベル４２１とを読み取らせる。バーコードリーダ９１は、バーコードラベル２１０，４２１の読み取りを行うと、バーコードラベル２１０，４２１から読み取った情報を入力部３２に出力する。
【００９８】
入力部３２は、バーコードリーダ９１から入力されたバーコードラベル２１０，４２１の情報をもとにブレーカの種別情報と回路識別情報とを取得し、取得した種別情報と回路識別情報とを設定部３６に出力する。設定部３６は、入力部３２から入力された種別情報および回路識別情報を記憶部３５に設定する。導電バー１０２に接続された全ての分岐ブレーカ２０についてバーコードラベル２１０，４２１の読取操作が行われると、導電バー１０２に接続された全ての分岐ブレーカ２０について、種別情報と回路識別情報とが記憶部３５に設定される。
【００９９】
なお、本実施形態ではバーコードラベル２１０，４２１に１次元バーコードが表示されているが、バーコードラベル２１０，４２１に表示されるバーコードは１次元バーコードに限定されず、２次元バーコードでもよい。
【０１００】
上述のように、本実施形態では、複数の分岐ブレーカ２０の各々の表面に設けられたブレーカの種別を示す視覚的な種別標識（バーコードラベル２１０）が種別標識検出部（バーコードリーダ９１）によって検出される。そして、種別標識検出部から、種別標識検出部が検出した種別標識が取得部（入力部３２）に入力される。取得部は、種別標識検出部から入力された種別標識に基づいて種別情報を取得するように構成さる。
【０１０１】
このように、分岐ブレーカ２０の表面には視覚的な種別標識が設けられており、種別標識検出部に種別標識を検出させることで、分岐ブレーカ２０の種別情報が設定されるから、ユーザが種別情報を直接入力する作業が不要になる。
【０１０２】
また本実施形態では、分電盤用キャビネット４０における複数の分岐ブレーカ２０の収容部４２に種別標識と隣接するように分岐回路１０３を識別するための視覚的な回路標識が設けられている。この回路標識は回路標識検出部（バーコードリーダ９１）によって検出され、回路標識検出部から回路標識検出部が検出した回路標識が取得部（入力部３２）に入力されてもよい。そして、取得部は、回路標識検出部から入力された回路標識に基づいて回路識別情報を取得してもよい。
【０１０３】
このように、分岐ブレーカ２０の収容部４２に種別標識と隣接するように視覚的な回路標識が設けられており、回路標識検出部に回路標識を検出させることで、回路識別情報が設定されるから、ユーザが回路識別情報を直接入力する作業が不要になる。
【０１０４】
（実施形態４）
実施形態４に係る分岐回路設定装置および分電盤について図８を参照して説明する。なお、図８は分電盤１の要部を示し、図８では導電バー１０２に対して分岐ブレーカ２０が上下２段に５個ずつ取り付けられた状態を示している。
【０１０５】
実施形態３では、分岐ブレーカ２０が接続された分岐回路１０３の回路識別情報を取得するために、分岐ブレーカ２０と１対１で対応するように、回路標識を構成するバーコードラベル４２１が設けられている。
【０１０６】
それに対して、本実施形態では、分電盤用キャビネット４０における収容部４２に基準位置を示すためのマーカ４２２，４２３が設けられている。
【０１０７】
また、各分岐ブレーカ２０の表面には、ブレーカの種別を色で表すラベル２２０が種別標識として貼り付けられている。なお、ラベル２２０には、ブレーカの種別を表す１次元バーコードや２次元バーコードが表示されていてもよい。
【０１０８】
設定装置３０の入力部３２には、分電盤用キャビネット４０の収容部４２をイメージセンサ９２で撮像した画像の画像データが入力される。入力部３２は、イメージセンサ９２から入力された画像データにエッジ検出やテンプレートマッチングなどの処理を施すことによって、各分岐ブレーカ２０に設けられたラベル２２０とマーカ４２２，４２３とを抽出する。入力部３２は、マーカ４２２，４２３で示される基準位置に対する、各分岐ブレーカ２０のラベル２２０の相対的な検出位置を求めることによって、各分岐ブレーカ２０に接続される分岐回路１０３の回路識別情報を取得する。また入力部３２は、ラベル２２０の色からブレーカの種別情報を取得しており、各分岐ブレーカ２０の種別情報と回路識別情報を設定部３６に出力する。そして、設定部３６は、入力部３２から入力された種別情報および回路識別情報を記憶部３５に設定する。ここにおいて、イメージセンサ９２と入力部３２とで、各分岐ブレーカ２０に設けられたラベル２２０（種別標識）を検出する種別標識検出部が構成される。また、イメージセンサ９２と入力部３２とで、分岐ブレーカ２０の収容部４２に設けられた基準位置（マーカ４２２，４２３の位置）に対する種別標識の相対的な検出位置を求める位置検出部が構成される。
【０１０９】
なお、マーカ４２２，４２３と、ラベル２２０と、イメージセンサ９２とを除いた構成は実施形態３で説明した設定装置３０および分電盤１とほぼ同じであるので、共通する構成要素には同一の符号を付して、その説明は省略する。
【０１１０】
本実施形態の設定装置３０による設定動作について以下に説明する。複数の分岐ブレーカ２０が導電バー１０２に接続された状態で、ユーザが設定装置３０の操作ボタン８１２を所定時間以上連続して操作すると、入力部３２から設定動作を開始させる入力情報が設定部３６に出力され、設定部３６が設定情報の設定動作を開始する。設定部３６が設定動作を開始した状態で、ユーザがイメージセンサ９２を操作して収容部４２の画像を撮像させると、イメージセンサ９２から入力部３２に収容部４２の画像データが出力される。
【０１１１】
入力部３２は、イメージセンサ９２から画像データが入力されると、この画像データにエッジ検出やテンプレートマッチングなどの処理を施すことで、各分岐ブレーカ２０に設けられたラベル２２０と、収容部４２に設けられたマーカ４２２，４２３とを抽出する。入力部３２は、マーカ４２２，４２３で示される基準位置に対する、各分岐ブレーカ２０のラベル２２０の相対的な検出位置を求めることによって、各分岐ブレーカ２０に接続される分岐回路１０３の回路識別情報を取得する。また入力部３２は、ラベル２２０の色からブレーカの種別情報を取得しており、各分岐ブレーカ２０の種別情報と回路識別情報を設定部３６に出力する。設定部３６は、入力部３２から入力された種別情報および回路識別情報を記憶部３５に設定しており、導電バー１０２に接続された全ての分岐ブレーカ２０について、種別情報と回路識別情報とを記憶部３５に設定できる。
【０１１２】
上述のように、本実施形態では、位置検出部（イメージセンサ９２および入力部３２からなる）は、複数の分岐ブレーカ２０の収容部４２に設けられた基準位置（マーカ４２２，４２３の位置）に対する種別標識（ラベル２２０）の相対的な検出位置を求める。そして、位置検出部から、位置検出部が検出した種別標識の検出位置が取得部（入力部３２）に入力され、取得部は、位置検出部から入力された種別標識の検出位置に基づいて回路識別情報を取得するように構成されている。
【０１１３】
このように、位置検出部は、収容部４２に設けられた基準位置に対する、各分岐ブレーカ２０の種別標識の相対的な検出位置から、各分岐ブレーカ２０の回路識別情報を取得しているので、ユーザが回路識別情報を入力する作業が不要になる。また位置検出部は、基準位置に対する、各分岐ブレーカ２０の種別標識の相対的な検出位置から、各分岐ブレーカ２０の回路識別情報を取得しているので、分岐ブレーカ２０と１対１に回路標識を設ける必要がないという利点がある。
【０１１４】
（実施形態５）
実施形態５に係る分岐回路設定装置および分電盤について図９を参照して説明する。なお、図９は分電盤１の要部を示し、図９では導電バー１０２に対して分岐ブレーカ２０が下段に５個取り付けられた状態を示している。
【０１１５】
本実施形態では、図９に示すように、各分岐ブレーカ２０の表面に、ブレーカの種別に応じて形状が異なる形状標識２３０が設けられている。形状標識２３０は、例えば分岐ブレーカ２０の表面に形成された突起の集まりで構成される。本実施形態の形状標識２３０は、縦２×横４の合計８つの位置のそれぞれに突起が設けられるか否かでブレーカの種別を表しており、図９では、突起２３１が設けられた位置を黒丸で示し、突起が設けられていない位置を白丸２３２で示している。すなわち、形状標識２３０は、突起２３１の並び方によって、ブレーカの種別を示す種別情報（すなわち電圧区分および機器種別）を表している。
【０１１６】
導電バー１０２に複数の分岐ブレーカ２０が接続された状態で、上段および下段の複数の分岐ブレーカ２０の形状標識２３０は、１段ずつ（例えば上段、下段の順番で）読取装置９３によって読み取られる。読取装置９３は、複数並んだ分岐ブレーカ２０の表面に接触した状態で、各分岐ブレーカ２０の形状標識２３０に対応する位置に、形状標識２３０が全て突起２３１で構成されている場合に各突起２３１が当たることで例えばオンからオフになるスイッチを備える。読取装置９３は、複数並んだ分岐ブレーカ２０の表面に接触させた状態で、各スイッチのオン／オフから形状標識２３０の有無および位置を検出し、さらに各々の形状標識２３０について突起２３１の並び方を検出する。読取装置９３は、形状標識２３０を検出すると、形状標識２３０を検出した位置と、形状標識２３０の形状（すなわち突起２３１の並び方）とを検出し、その検出結果を入力部３２に出力する。なお読取装置９３は、感圧センサなどを用いて形状標識２３０の形状を検出してもよいし、分岐ブレーカ２０の表面にビーム光を照射して分岐ブレーカ２０の表面を走査することによって形状標識２３０の３次元形状を検出してもよい。
【０１１７】
入力部３２は、読取装置９３から形状標識２３０を検出した位置とその形状とが入力されると、形状標識２３０の存在を検出した位置から、分岐ブレーカ２０が接続されていることと、その分岐ブレーカ２０に接続される回路番号（つまり回路識別情報）を検出する。また入力部３２は、読取装置９３によって検出された各形状標識２３０の形状（突起２３１の並び方）に基づいて、各々の分岐ブレーカ２０についてブレーカの種別を示す種別情報を検出する。入力部３２は、導電バー１０２に接続されている複数の分岐ブレーカ２０の各々について回路識別情報および種別情報を取得すると、取得した各分岐ブレーカ２０の回路識別情報と種別情報とを設定部３６に出力する。
【０１１８】
本実施形態の設定装置３０による設定動作について以下に説明する。複数の分岐ブレーカ２０が導電バー１０２に接続された状態で、ユーザが設定装置３０の操作ボタン８１２を所定時間以上連続して操作すると、入力部３２から設定動作を開始させる入力情報が設定部３６に出力され、設定部３６が設定情報の設定動作を開始する。
【０１１９】
設定部３６が設定動作を開始した状態で、ユーザが読取装置９３を上段、下段の順番で各段の分岐ブレーカ２０の表面に当て、読取装置９３に各分岐ブレーカ２０の形状標識２３０を読み取らせる。読取装置９３が複数並んだ分岐ブレーカ２０の表面に接触すると、各分岐ブレーカ２０の形状標識２３０の突起２３１にスイッチが押されることで、スイッチが例えばオンからオフに切り替わる。読取装置９３は、複数の形状標識２３０を検出すると、複数の形状標識２３０の各々について、その検出位置と、その形状（すなわち突起２３１の並び方）とを検出し、その検出結果を入力部３２に出力する。
【０１２０】
入力部３２は、各形状標識２３０の検出位置およびその形状が入力されると、形状標識２３０の検出位置から分岐ブレーカ２０に接続される分岐回路１０３の回路識別情報を検出し、形状標識２３０の形状から分岐ブレーカ２０の種別情報を検出する。入力部３２は、各分岐ブレーカ２０の回路識別情報および種別情報を取得すると、取得した回路識別情報および種別情報を設定部３６に出力する。設定部３６は、入力部３２から入力された各分岐ブレーカ２０の種別情報および回路識別情報を対応付けて記憶部３５に設定しており、導電バー１０２に接続された全ての分岐ブレーカ２０について、種別情報と回路識別情報とを対応付けて記憶部３５に設定できる。
【０１２１】
上述のように、本実施形態では、形状検出部（読取装置９３）が、複数の分岐ブレーカ２０の各々の表面に設けられた、ブレーカの種別に応じて形状が異なる形状標識２３０を検出する。形状検出部から、形状検出部が検出した形状標識２３０の形状と形状標識２３０の検出位置とが取得部（入力部３２）に入力される。取得部は、形状検出部から入力された形状標識２３０の形状に基づいて種別情報を取得し、形状検出部から入力された形状標識２３０の検出位置に基づいて回路識別情報を取得するように構成される。
【０１２２】
このように、形状検出部が分岐ブレーカ２０の表面の形状標識を検出することで、各分岐ブレーカ２０の回路識別情報および種別情報を取得しているので、ユーザが回路識別情報や種別情報を入力する作業が不要になり、設定作業を簡略化できる。また形状検出部が分岐ブレーカ２０の表面の形状標識を検出することで、回路識別情報および種別情報を取得しているから、分岐ブレーカ２０に種別情報などを電気信号で出力する回路を設ける必要がないという利点がある。
【０１２３】
なお、形状標識２３０は本実施形態で説明した形状に限定されず、丸、四角、三角などの２次元形状の組み合わせでブレーカの種別を示してもよいし、形状に色彩を組み合わせたような標識としてもよい。
【０１２４】
なお、実施形態１で説明した分岐回路設定方法は、実施形態２〜５で説明した分岐回路設定装置および分電盤にも適用が可能である。
【０１２５】
本実施形態のプログラムは、コンピュータを、上記の各実施形態で説明した分岐回路設定装置（設定装置３０）として機能させるためのプログラムである。コンピュータがこのプログラムを実行することによって設定装置３０の機能が実現され、複数の分岐回路１０３の情報を設定したり変更したりする作業が簡略化された設定装置３０を実現できる。
【０１２６】
このようなプログラムを実行するデバイスは、プロセッサとメモリとを備えるマイクロコンピュータを代表例とする。したがって、専用の装置のほか、汎用のコンピュータなどの装置で、上記のプログラムを実行することによって分岐回路設定装置を実現することができる。なお、このプログラムは、インターネットのような電気通信回線を通して提供されるほか、コンピュータで読み取り可能な記録媒体で提供される場合もある。記録媒体は、光ディスク、ハードディスク、不揮発性の半導体メモリなどから選択される。
【０１２７】
また本実施形態の分電盤１は、複数の分岐ブレーカ２０と、上記の各実施形態で説明した分岐回路設定装置（設定装置３０）と、分岐回路設定装置および複数の分岐ブレーカ２０を収容する分電盤用キャビネット４０とを備えたことを特徴とする。
【０１２８】
分電盤１は上記の分岐回路設定装置を備えているので、複数の分岐ブレーカ２０の各々について回路識別情報や種別情報を設定したり変更したりする作業が簡略化された分電盤１を実現できる。
【符号の説明】
【０１２９】
１  分電盤
２０  分岐ブレーカ
３０  設定装置（分岐回路設定装置）
３２  入力部（取得部）
３５  記憶部
３６  設定部
４０  分電盤用キャビネット
５０  主幹ブレーカ
９１  バーコードリーダ（種別標識検出部、回路標識検出部）
９２  イメージセンサ（種別標識検出部、位置検出部）
９３  読取装置（形状検出部）
１０２  導電バー（主幹回路）
１０３  分岐回路
１０４  バス配線
１０５  信号路
２１０  バーコードラベル（種別標識）
２２０  ラベル（種別標識）
２３０  形状標識
３２１  有線通信部
３２２  無線通信部
３２３  パラレル入力部（信号入力部）
４２１  バーコードラベル（回路標識）
４２２，４２３  マーカ
【図１】
0006403066.tif 000002
【図２】
0006403066.tif 000003
【図３】
0006403066.tif 000004
【図４】
0006403066.tif 000005
【図５】
0006403066.tif 000006
【図６】
0006403066.tif 000007
【図７】
0006403066.tif 000008
【図８】
0006403066.tif 000009
【図９】
0006403066.tif 000010